(57)【特許請求の範囲】
【請求項１】
操作子装置本体とネジと被取付部とを有し、楽器本体の取付部に前記被取付部が前記ネジで螺着固定されることで前記楽器本体に取り付けられる操作子装置の取り付け構造であって、
前記被取付部は、
前記楽器本体の前記取付部に対向当接する取付部当接面と、
前記取付部当接面の反対側に形成され、前記ネジの頭部の座面に対して直接または別部材を介して当接する座面当接部と、
前記取付部当接面から前記座面当接部にかけて貫通して形成され、前記ネジの軸部が挿通可能で前記ネジの前記頭部が挿通不能な貫通穴とを有し、
前記座面当接部は、凸曲面に形成された柱面であり、前記柱面を構成する仮想円柱の中心軸が前記楽器本体の前記取付部のネジ穴の中心線と垂直に交わることを特徴とする操作子装置の取り付け構造。
【請求項２】
前記ネジの前記頭部の前記座面または前記別部材は、前記座面当接部に対して線接触で当接することを特徴とする請求項１記載の操作子装置の取り付け構造。
【請求項３】
前記座面または前記別部材と前記座面当接部との接触線は、前記楽器本体の前記取付部のネジ穴の中心線の延長線上を通り且つ前記中心線に対して垂直であることを特徴とする請求項２記載の操作子装置の取り付け構造。
【請求項４】
前記取付部当接面には、前記楽器本体の前記取付部に対する前記貫通穴の位置を合わせるための位置決め部が設けられたことを特徴とする請求項１〜３のいずれか１項に記載の操作子装置の取り付け構造。
【発明の詳細な説明】
【技術分野】
【０００１】
本発明は、楽器本体に取り付けられる操作子装置の取り付け構造に関する。
【背景技術】
【０００２】
従来、下記特許文献１〜３に示されるように、楽器本体に取り付けられるホイール操作子やジョイスティック等の操作子装置が知られている。従来におけるこの種の操作子装置の楽器本体への取り付け構造を説明する。
【０００３】
図５は、従来の操作子装置の取り付け構造を示す模式図である。操作子装置９０は、操作子９５及びステイ９１を有して一体的に構成される。楽器本体のパネル９４からボス９３が垂下形成され、ボス９３の下面に操作子装置９０が取り付けられる。その際、ボス９３の下面である先端面９３ａにステイ９１を当接させ、ステイ９１の不図示の貫通穴を通じて、ボス９３に形成された不図示の取付穴（ネジ穴）にネジ９２を下方から螺合する。ネジ９２の頭部の座面９２ａがステイ９１の下面に当接する。
【０００４】
ここで、パネル９４に対する操作子装置９０の適切な取り付け角度（この例では操作子９５の突出方向でもある）は、様々な要件によって定まる。例えば、操作子装置９０の周辺形状、操作子装置９０の配置位置、演奏者と楽器本体との相対的な位置、演奏スタイル等の要件である。
【先行技術文献】
【特許文献】
【０００５】
【特許文献１】特許第３３８１８５２号公報
【特許文献２】実公平７−３１２７６号公報
【特許文献３】特許第２９２１４８３号公報
【発明の概要】
【発明が解決しようとする課題】
【０００６】
しかしながら、上記従来の操作子装置の取り付け構造においては、取り付け状態においてネジ９２の頭部の座面９２ａがステイ９１の下面に面接触するように構成され、ネジ９２の螺合方向は一意に決まっているものである。すなわち、操作子装置として完成された状態で、その組み付け方向（角度）は一意に決まっており、取り付け角度を変更したり選択したりすることはできない。一方、ボス９３の締結穴の軸線のパネルに対する角度は、楽器の機種によって相違し得る。
【０００７】
そのため、仮に、機能の観点では同一構成の操作子装置を異なる機種に適用可能であっても、パネルに対する操作子装置の適切な取り付け角度が機種間で異なる場合は、同じ操作子装置をそのまま適用できない。例えば、適切な取り付け角度に応じてステイの形状（ボス９３や座面９２ａとの当接部分の角度等）を機種に応じて変更する必要がある。従って、結果として、各操作子装置はその機種専用となってしまうことが多い。
【０００８】
本発明は上記従来技術の問題を解決するためになされたものであり、その目的は、螺着固定可能な取り付け角度の範囲を広くし、楽器本体の取付部に応じた取り付け角度にて操作子装置を取り付けることができる操作子装置の取り付け構造を提供することにある。
【課題を解決するための手段】
【０００９】
上記目的を達成するために本発明の請求項１の操作子装置の取り付け構造は、操作子装置本体（２１）とネジ（３０）と被取付部（Ｓ）とを有し、楽器本体（１０）の取付部（１１）に前記被取付部が前記ネジで螺着固定されることで前記楽器本体に取り付けられる操作子装置の取り付け構造であって、前記被取付部は、前記楽器本体の前記取付部に対向当接する取付部当接面（２５）と、前記取付部当接面の反対側に形成され、前記ネジの頭部（３１）の座面（３２）に対して直接または別部材を介して当接する座面当接部（２６）と、前記取付部当接面から前記座面当接部にかけて貫通して形成され、前記ネジの軸部（３３）が挿通可能で前記ネジの前記頭部が挿通不能な貫通穴（２７）とを有し、前記座面当接部は、凸曲面に形成された柱面であり、前記柱面を構成する仮想円柱の中心軸が前記楽器本体の前記取付部のネジ穴の中心線と垂直に交わることを特徴とする。
【００１０】
好ましくは、前記ネジの前記頭部の前記座面または前記別部材は、前記座面当接部に対して線接触で当接する。好ましくは、前記座面または前記別部材と前記座面当接部との接触線（Ｌ１）は、前記楽器本体の前記取付部のネジ穴（１３）の中心線（Ｃ０）の延長線上を通り且つ前記中心線に対して垂直である。好ましくは、前記取付部当接面には、前記楽器本体の前記取付部に対する前記貫通穴の位置を合わせるための位置決め部（２９）が設けられる。
【００１１】
なお、上記括弧内の符号は例示である。
【発明の効果】
【００１２】
本発明の請求項１によれば、螺着固定可能な取り付け角度の範囲を広くし、楽器本体の取付部に応じた取り付け角度にて操作子装置を取り付けることができる。また、座面と座面当接部との当接による力がネジの軸部に曲げ応力として働かないようにすることができる。
【００１３】
請求項３によれば、座面と座面当接部との当接による力がネジの軸部に曲げ応力として働かないようにすることができる。
【００１４】
請求項２によれば、接触面積の確保によりネジのゆるみが防止される。
【００１５】
請求項４によれば、螺着作業時の位置決めが容易となる。
【図面の簡単な説明】
【００１６】
【図１】本発明の一実施の形態に係る操作子装置の取り付け構造が適用される電子楽器の要部を示す模式図である。
【図２】１箇所の被取付部及びボスを示す模式的な側面図である。
【図３】被取付部を図２の下方から見た図、図２のＡ−Ａ線に沿う断面図である。
【図４】ボスの角度が異なる異機種の楽器本体に操作子装置を取り付ける場合の、被取付部及びボスを示す模式的な側面図、位置決め機構を設けた変形例を示す模式的な側面図である。
【図５】従来の操作子装置の取り付け構造を示す模式図である。
【発明を実施するための形態】
【００１７】
以下、本発明の実施の形態を図面を参照して説明する。
【００１８】
図１は、本発明の一実施の形態に係る操作子装置の取り付け構造が適用される電子楽器の要部を示す模式図である。
【００１９】
この操作子装置２０は、例えばホイール操作子やジョイスティックとして構成され、用途としては電子楽器の楽音制御用の入力装置等が適している。制御対象としては、例えば音高、音色、音量のほか、ビブラート、リバーブ等の各種効果に関する楽音パラメータが考えられる。
【００２０】
操作子装置２０は、操作子本体であるホイール２１と、ホイール２１を支持するステイ２３とを有して一体的に構成される。ホイール２１には操作子２２が設けられる。操作子２２の形状は問わず、ホイール２１から大きく突出したものであってもよい。ホイール２１は、操作子２２の操作により回動する。ただし、操作子２２という形態の要素を有しなくてもよく、ホイール２１自身が直接されて回動する構成であってもよい。
【００２１】
ホイール２１とステイ２３との固定の態様は問わないが、操作子装置２０は、楽器本体に取り付ける前の段階でユニットとして製造される。操作子装置２０が適用される楽器の種類は問わないが、例えば鍵盤楽器のパネルに露出して取り付けられる。パネル１０の裏面には、ボス１１が垂下して設けられる。操作子装置２０は、ステイ２３の板状部２４がボス１１の下端にネジ３０で螺着固定されることでパネル１０に取り付けられ、ホイール２１の上部乃至操作子２２がパネル１０の上方に露出する。
【００２２】
また図示はしないが、本楽器には、ホイール２１の回動量を検出する検出手段、例えばロータリボリュームが配設され、検出された回動量に基づいて楽音パラメータの制御がなされる。検出手段の構成は特に限定されない。
【００２３】
本実施の形態では、取付部であるボス１１にステイ２３の板状部２４を締結する機構に特徴があり、特に、板状部２４の裏面に座面当接部である凸部２６が設けられている。凸部２６を介してネジ３０が螺合される。板状部２４のうちボス１１と当接する部分及び凸部２６を「被取付部Ｓ」と呼称する。ボス１１は２箇所以上設けられることもあり、被取付部Ｓはそれぞれのボス１１に対応して構成される。
【００２４】
図２は、１箇所の被取付部Ｓ及びボス１１を示す模式的な側面図である。図３（ａ）は、被取付部Ｓを図２の下方から見た図である。図３（ｂ）は、図２のＡ−Ａ線に沿う断面図である。
【００２５】
凸部２６に採択される形状は下方の凸の凸曲面である。本実施の形態では、凸曲面として柱面を例にとって説明する。
【００２６】
図２、図３（ａ）、（ｂ）に示すように、ボス１１には、雌ネジが形成されたネジ穴１３が設けられる。ネジ穴１３の中心線Ｃ０に対するボス１１の先端面１２の傾斜角度は、各機種の楽器本体内の部品配設スペースや、ホイール２１の所望される取り付け角度の制約等を受け、必ずしも中心線Ｃ０に対して垂直とはならない。操作子装置２０は、同一構成のまま、異なる複数の機種の楽器に取り付けられることを想定しており、図示されたボス１１の突設方向乃至中心線Ｃ０の方向は一例である。ボス１１の先端面１２に、板状部２４の上面の対応箇所である取付部当接面２５が対向当接する。
【００２７】
被取付部Ｓにおいて、板状部２４の取付部当接面２５の反対側（下側）に凸部２６が一体に設けられる。凸部２６は、板状部２４と一体に形成してもよいし、あるいは別体として構成し、接着等によって一体化してもよい。板状部２４から凸部２６にかけて、締結用貫通穴２７が形成される。
【００２８】
締結用貫通穴２７は、ネジ３０の軸部３３が余裕を持って挿通可能で且つ頭部３１が挿通不能な大きさとなっている。締結用貫通穴２７は、その中心線が板状部２４に対して垂直となるよう形成されるが、それに限定されない。例えば、取り付け相手となる楽器の機種が判明していれば、ネジ３０がとり得る角度の範囲で軸部３３と干渉しないように締結用貫通穴２７の大きさや角度を設定すればよい。
【００２９】
ネジ３０の軸部３３には、少なくともネジ穴１３に螺合する範囲において雄ねじが形成されている。ボス１１の先端面１２に板状部２４の取付部当接面２５を当接させ、締結用貫通穴２７を通じて、ボス１１のネジ穴１３にネジ３０を下方から螺合する。ネジ３０の頭部３１の座面３２が凸部２６の下面に当接する。これにより、操作子装置２０がボス１１に取り付けられる。
【００３０】
ここで、凸部２６の下側の外側面形状は、仮想円柱２８（図２）の一部を構成する柱面となっている。仮想円柱２８の中心軸Ｃ１は、ネジ穴１３の中心線Ｃ０と垂直に交わる（図２、図３（ｂ））。従って、凸部２６は、実質的には板状部２４から突出した蒲鉾型である。凸部２６がこのような形状であることにより、ネジ３０による被取付部Ｓの螺着状態において、ネジ３０の頭部３１の平坦な座面３２は、凸部２６に対して接触線Ｌ１にて線接触状態で当接することになる。座面３２が凸部２６に線接触するので、点接触に比べれば接触面積が大きく確保され、ネジ３０の緩みが防止される。
【００３１】
また、接触線Ｌ１は、仮想円柱２８の中心軸Ｃ１に平行であり（図３（ｂ））、しかも、ネジ穴１３の中心線Ｃ０の延長線上を通り且つ中心線Ｃ０に対して垂直である。これにより、座面３２と座面当接部である凸部２６との当接による力がネジ３０の軸部３３に曲げ応力として働かない。
【００３２】
従来のように、座面３２が面接触で当接するならば螺着状態としては好ましいが、操作子装置２０として完成された状態でその組み付け方向（角度）が一意に決まってしまい、選択や変更ができない。これに対し本実施の形態では、凸部２６が柱面であるので、仮想円柱２８の円周方向における座面３２との当接位置を変えても螺着固定が可能である。
【００３３】
図４（ａ）は、ボス１１の角度が異なる異機種の楽器本体に操作子装置２０を取り付ける場合の、被取付部Ｓ及びボス１１を示す模式的な側面図である。
【００３４】
図４（ａ）の例では、図２の例に対し、パネル１０に対するボス１１の先端面１２の傾斜角度及びネジ穴１３の中心線Ｃ０の角度が相違する。しかし操作子装置２０は同一である。
【００３５】
先端面１２に取付部当接面２５を突き当て、締結用貫通穴２７を通じてネジ３０を螺合する。軸部３３は締結用貫通穴２７に干渉しない。ネジ３０の螺合方向はネジ穴１３の中心線Ｃ０に沿うので、ネジ３０の頭部３１の座面３２は、凸部２６に対して図２の例とは異なる位置において接触線Ｌ１にて線接触状態で当接する。この図４（ａ）の例においても、図２の例に対して締結力が特に劣るわけではなく、全く同等の締結状態が確保される。
【００３６】
本実施の形態によれば、座面当接部である凸部２６が凸曲面に形成されたので、ネジ３０による螺着固定可能な取り付け角度の範囲を広くすることができる。それにより、楽器本体のボス１１に応じた取り付け角度にて操作子装置２０を取り付けることができる。すなわち、操作子装置２０として完成された状態で、その組み付け方向（取り付け角度）を変更したり選択したりすることができる。従って、同一構成の操作子装置２０を、そのままの構成にて、異なる複数の機種に適用することも可能である。
【００３７】
特に、仮想円柱２８の中心軸Ｃ１はネジ穴１３の中心線Ｃ０と垂直に交わるので、座面３２は、凸部２６に対して接触線Ｌ１にて線接触で当接する。これにより、接触面積を確保してネジ３０の緩みを防止することができる。
【００３８】
さらに、接触線Ｌ１は、ネジ穴１３の中心線Ｃ０の延長線上を通り且つ中心線Ｃ０に対して垂直であるので、座面３２と凸部２６との当接による力がネジ３０の軸部３３に曲げ応力として働かない。それにより、ネジ３０の折れや曲がりが回避され、安定した締結状態を維持することができる。
【００３９】
ところで、被取付部Ｓをボス１１に締結する際、締結用貫通穴２７とボス１１との位置をある程度の範囲内に合わせる必要がある。これは作業者によりなされるが、図４（ｂ）に示すような位置決め機構を設けるのが望ましい。
【００４０】
すなわち、被取付部Ｓにおいて、ステイ２３の板状部２４の上側に突起状の位置決め部２９を設ける。位置決め部２９は、ボス１１の先端を囲む環状となっている。位置決め部２９を利用することで、ネジ３０の螺着作業時の位置決めが容易となる。
【００４１】
位置決め部２９は、被取付部Ｓとボス１１との、ネジ穴１３の中心線Ｃ０に平行でない方向の位置を規制する構成であればよい。位置決め部２９は、ボス１１の先端を囲むような形状が好ましいが、環状でなくてもよく、例えば複数の突起が円周上に配列された構成でもよい。あるいは直線でもよい。
【００４２】
ところで、上記した実施の形態では、操作子装置２０の螺着固定可能な取り付け角度の範囲を広くするために、凸部２６の形状として柱面を採用したが、凸曲面であればそのような効果を奏することができる。凸曲面としては、ネジ３０の座面３２が線接触するような曲面が好ましいが、複数箇所で点接触するような曲面であってもよい。従って、凸曲面の例としては、錐面や柱状面等の線織面でもよいし、球面等の複曲面であってもよい。
【００４３】
なお、以上の説明では、凸部２６にはネジ３０の座面３２が直接当接するとしたが、座金（ワッシャ）等の別部材を介して当接してもよい。その場合、別部材の、凸部２６に当接する面が、上記説明した座面３２に相当することとなる。
【符号の説明】
【００４４】
１０  パネル（楽器本体）、  １１  ボス（取付部）、  １３  ネジ穴、  ２０  操作子装置、  ２１  ホイール（操作子装置本体）、  ２５  取付部当接面、  ２６  凸部（座面当接部）、  ２７  締結用貫通穴、  ２８  仮想円柱、  ２９  位置決め部、  ３０  ネジ、  ３１  頭部、  ３２  座面、  ３３  軸部、  Ｌ１  接触線、  Ｓ  被取付部、  Ｃ１  中心軸、  Ｃ０  中心線
【図１】
0005821383.tif 000002
【図２】
0005821383.tif 000003
【図３】
0005821383.tif 000004
【図４】
0005821383.tif 000005
【図５】
0005821383.tif 000006